(57)【特許請求の範囲】
【請求項１】
一層または実質的に一層となるように積層一体化され、かつプリーツ加工された濾材であって、該濾材の気体流入部と気体流出部のある面以外の四方面に成形型を用いて樹脂枠が形成される濾材の折りひだに山折り線と交差するように折目線を形成して、前記濾材の山折り線方向に収縮が生じたときに、前記各折りひだが折目線に沿って同一方向に折れ曲がるようにしたことを特徴とする濾材。
【請求項２】
一層または実質的に一層となるように積層一体化され、かつプリーツ加工された濾材の折りひだに山折り線と交差するように折目線を形成して、前記濾材の山折り線方向に収縮が生じたときに、前記各折りひだが折目線に沿って同一方向に折れ曲がるようにした濾材の気体流入部と気体流出部のある面以外の四方面に成形型を用いて樹脂枠を形成したことを特徴とするユニット型フィルタ。
【発明の詳細な説明】
【０００１】
【発明の属する技術分野】
本発明は、例えば一般的な空気浄化のためやトナーなどの特定の粒子を捕集するためのフィルタなどに使用される濾材及びユニット型フィルタに関する。詳細には濾材の山折り線方向に収縮が生じても、隣接する折りひだ同志が接触し難く、濾過に寄与しない領域が形成され難い濾材及びユニット型フィルタに関する。
【０００２】
【従来の技術及び発明が解決しようとする課題】
従来、図４に示すようなプリーツ加工された濾材２の周囲に樹脂枠３を設けたユニット型フィルタ１が知られている。このユニット型フィルタ１において樹脂枠３は、プリーツ加工された濾材２の気体流入部と気体流出部のある面以外の四方面に成形型（図示しない）を用いて形成されるのであるが、樹脂が冷える過程で濾材２の山折り線方向に収縮して歪みが生じることがあり、この場合、図４に示すように、濾材２の互いに隣接する折りひだ２ａが曲がって接触し、濾過に寄与しない領域（デッドスペース）が形成されるという課題があった。
【０００３】
本発明は、このような課題に鑑みなされたものであり、濾材の山折り線方向に収縮が生じても、隣接する折りひだ同志が接触し難く、濾過に寄与しない領域が形成され難い濾材及びユニット型フィルタを提供することを目的とするものである。
【０００４】
【課題を解決するための手段】
上記目的を達成するため、請求項１記載の発明は、一層または実質的に一層となるように積層一体化され、かつプリーツ加工された濾材であって、該濾材の気体流入部と気体流出部のある面以外の四方面に成形型を用いて樹脂枠が形成される濾材の折りひだに山折り線と交差するように折目線を形成して、前記濾材の山折り線方向に収縮が生じたときに、前記各折りひだが折目線に沿って同一方向に折れ曲がるようにしたことを特徴とする濾材をその要旨とした。
【０００５】
請求項２記載の発明は、一層または実質的に一層となるように積層一体化され、かつプリーツ加工された濾材の折りひだに山折り線と交差するように折目線を形成して、前記濾材の山折り線方向に収縮が生じたときに、前記各折りひだが折目線に沿って同一方向に折れ曲がるようにした濾材の気体流入部と気体流出部のある面以外の四方面に成形型を用いて樹脂枠を形成したことを特徴とするユニット型フィルタをその要旨とした。
【０００６】
【発明の実施の形態】
以下、本発明の濾材及びユニット型フィルタについて、その実施の形態を図面に従い詳しく説明する。図１及び図２に示すユニット型フィルタ１１は、プリーツ加工された濾材１２の気体流入部と気体流出部のある面以外の四方面に樹脂枠１３を設けたものである。
【０００７】
濾材１２は、折り加工後の形状が容易に崩れない程度の伸度と強度とを備えた不織布、紙、織物、編み物、ネットなどを素材としており、一層のみからなるもの、同一種の不織布や紙を複数枚積層して一体化したもの、あるいは樹脂接着不織布とメルトブロー不織布とを積層一体化したもののように異なる種類の素材を積層したものなど、その構造は当該フィルタの大きさや用途に合わせて自由に設計することができる。特には樹脂接着不織布とメルトブロー不織布とを積層一体化したものが好ましい。
【０００８】
この濾材１２をプリーツ加工する方法としては、レシプロ方式、ロータリー方式などのプリーツ加工機によって濾材にジグザグ形状を付与したり、ジグザグ形状に成形された押型で濾材をプレスすることによって、当該濾材にジグザグ形状を付与するなど、従来より知られた方法を用いることができる。
【０００９】
こうしてプリーツ加工された濾材１２の折りひだ１２ａのほぼ中央部分には、濾材１２の山折り線１４と交差するように、特に好ましくは直交するように折目線１５が形成されている。折目線１５は、プリーツ加工に先だって濾材１２の折目線１５を形成すべき位置を線状に押圧して線状の凹部を設けたり、治具等を用いてプリーツ加工後に濾材１２を折目線１５を形成すべき位置で折り曲げることで折り癖を付けたりして形成することができる。
【００１０】
この折目線１５の位置は、図１及び図２の場合、折りひだ１２ａの中央部分に形成したが、これに限らず側方であってもよい。しかしながら、濾材１２の山折り線１４の方向への収縮による歪みをバランス良く吸収させるという点からは、折りひだ１２ａの中央部分に形成するのが最も良い。
【００１１】
また折目線１５は、濾材１２の山折り線１４を境にした左右の折りひだ１２ａの少なくとも一方面に形成されていればよい。
【００１２】
このように折目線１５が形成された濾材１２の気体流入部と気体流出部のある面以外の四方面に樹脂枠１３が設けられている。樹脂枠１３は、ポリプロピレン樹脂、ポリスチレン樹脂、アクリロニトリル−ブタジエン−スチレン共重合体（ＡＢＳ樹脂）などの樹脂からなり、これらの樹脂を成形型を用いて前記濾材１２の気体流入部と気体流出部のある面以外の四方面に流し込み、冷却することで形成されている。
【００１３】
こうして濾材１２の気体流入部と気体流出部のある面以外の四方面に樹脂枠１３を形成したとき、樹脂が冷える過程で樹脂が収縮して濾材１２は山折り線１４の方向に歪みを生じることがある。このとき、濾材１２は、図１に示すように各折りひだ１２ａが折目線１５に沿って同一方向に折れ曲がるようになっているので、隣接する折りひだ１２ａ同志が接触し難く、濾過に寄与しない領域が形成され難くなっている。
【００１４】
また図３に示す態様は広幅のユニット型フィルタ１１に適用したものであり、各折りひだが、折目線１５ａに沿って同一方向に折れ曲がるようにすると共に、折目線１５ｂに沿ってこれと反対方向に折れ曲がるように濾材１２を配置したものである。この場合、樹脂が冷える過程で濾材１２が山折り線１４の方向に収縮したときに、濾材１２が折目線１５ａに沿う方向と折目線１５ｂに沿う方向とに折れ曲がるので、１つの折目線に沿って折り曲げた場合に比べて、濾材１２の各折りひだの折り曲り角が浅くなり、濾材１２の山折り線１４の方向への収縮による歪みをより安定に吸収することができる。
【００１５】
【発明の効果】
請求項１記載の濾材にあっては、濾材の山折り線方向に収縮が生じても、濾材の折りひだに山折り線と交差するように形成した折目線に沿って、各折りひだが同一方向に折れ曲がるようにしたので、隣接する折りひだ同志が接触し難く、濾過に寄与しない領域が形成され難い。
【００１６】
請求項２記載のユニット型フィルタにあっては、濾材の山折り線方向に収縮が生じても、濾材の折りひだに山折り線と交差するように形成した折目線に沿って、各折りひだが同一方向に折れ曲がるようにした濾材を用い、この濾材の周囲に樹脂枠が設けられているので、隣接する折りひだ同志が接触しておらず、濾過に寄与しない領域がなく、より効率的な濾過を行うことができる。
【図面の簡単な説明】
【図１】本発明のユニット型フィルタを示した斜視図。
【図２】濾材を側方から見た要部拡大正面図。
【図３】本発明のユニット型フィルタの別例を示した斜視図。
【図４】従来のユニット型フィルタを示す斜視図。
【符号の説明】
１２・・・濾材
１３・・・樹脂枠
１４・・・山折り線
１５・・・折目線
【図１】
0003569770.tif 000002
【図２】
0003569770.tif 000003
【図３】
0003569770.tif 000004
【図４】
0003569770.tif 000005